(57)【要約】【課題】簡易な構成により同一波長でなる光ビームの光路を容易に切り替え得るようにする。【解決手段】光ディスク装置１の光ピックアップ７は、制御部２による光ディスク１００の判別結果に応じて調光ミラー１７の動作モードを切り換えることにより、光ビームＬ１の光路を変更することができるため、対物レンズ１０を介して当該光ビームＬ１をＢＤ用光ディスク１００Ｂに照射し得ると共に、対物レンズ１１を介して当該光ビームＬ１をＨＤ用光ディスク１００Ｈに照射することができる。【選択図】        図４
2008269666.tif 000002
【特許請求の範囲】
【請求項１】
同一の光源から出射される光ビームを第１又は第２の対物レンズを介して第１又は第２の光ディスクに照射する光ピックアップであって、
上記光ビームを反射することにより上記光ディスクにおける情報記録面の法線方向へ折り曲げて上記第１の対物レンズへ導き、また上記光ビームを透過することにより所定の立上ミラーによって上記情報記録面の法線方向へ折り曲げ上記第２の対物レンズへ導く調光ミラーと、
上記第１の光ディスクに上記光ビームを照射する際には上記光ビームを反射し、上記第２の光ディスクに上記光ビームを照射する際には上記光ビームを透過するよう、上記調光ミラーにおける上記光ビームの反射率を制御する調光制御部と
を具えることを特徴とする光ピックアップ。
【請求項２】
上記調光ミラーは、
上記情報記録面とほぼ並行する上記光ビームを反射することにより上記情報記録面の法線方向へ折り曲げ、また当該光ビームを透過することにより直進させ所定の立上ミラーにより上記情報記録面の法線方向へ折り曲げる
ことを特徴とする請求項１に記載の光ピックアップ。
【請求項３】
上記光ビームは、上記光ディスクの半径方向を表すラジアル方向に直交するタンジェンシャル方向から上記調光ミラーに対して入射され、
上記第１及び第２の対物レンズは、上記光ディスクに対し上記タンジェンシャル方向に沿って配置されている
ことを特徴とする請求項１に記載の光ピックアップ。
【請求項４】
上記第１及び第２の対物レンズが取り付けられ、上記光ピックアップに対し揺動する対物レンズホルダ
を具え、
上記対物レンズホルダは、上記光ビームを１本のみ通過させる孔部が設けられている
ことを特徴とする請求項１に記載の光ピックアップ。
【請求項５】
上記レンズホルダは、
上記第１又は第２の光ディスクに対し近接又は離隔するフォーカス方向及び上記第１又は第２の光ディスクの半径方向であるトラッキング方向へ移動するためのアクチュエータが、上記対物レンズを挟んで対向する２以上の箇所に設けられている
ことを特徴とする請求項４に記載の光ピックアップ。
【請求項６】
上記調光ミラーは、
上記光ディスクにおける情報記録面の法線方向とほぼ並行する上記光ビームを透過することにより直進させ、また当該光ビームを反射することにより上記情報記録面と平行な方向へ折り曲げ、さらに所定の立上ミラーにより上記情報記録面の法線方向へ折り曲げる
ことを特徴とする請求項１に記載の光ピックアップ。
【請求項７】
上記調光ミラーは、
上記光ビームを反射した後、他の光学部品を介さず上記第１の対物レンズへ直接入射させ、また上記光ビームを透過し上記立上ミラーにより反射させた後、他の光学部品を介さず上記第２の対物レンズへ直接入射させる
ことを特徴とする請求項１に記載の光ピックアップ。
【請求項８】
同一の光源から出射される光ビームを第１又は第２の対物レンズを介して第１又は第２の光ディスクに照射する光ディスク装置であって、
上記光ディスクが上記第１の光ディスク又は上記第２の光ディスクのいずれであるかを判別する判別部と、
上記光ビームを反射することにより、上記光ディスクにおける情報記録面の法線方向へ折り曲げて上記第１の対物レンズへ導き、また上記光ビームを透過することにより、所定の立上ミラーによって上記情報記録面の法線方向へ折り曲げ上記第２の対物レンズへ導く調光ミラーと、
上記判別部による判別結果に応じて、上記第１の光ディスクに上記光ビームを照射する際には上記光ビームを反射させ、上記第２の光ディスクに上記光ビームを照射する際には上記光ビームを透過するよう、上記調光ミラーにおける上記光ビームの反射率を制御する調光制御部と
を具えることを特徴とする光ディスク装置。
【発明の詳細な説明】
【技術分野】
【０００１】
本発明は、光ピックアップ及び光ディスク装置に関し、例えばＢＤ（Blu-ray Disc、登録商標）方式及びＨＤ  ＤＶＤ（High Density Digital Versatile Disc、登録商標）方式の両方に対応した光ディスク装置に適用して好適なものである。
【背景技術】
【０００２】
従来、光ディスク装置においては、情報記録媒体としての光ディスクに対して音楽コンテンツや映像コンテンツ、或いはアプリケーションプログラムや各種データ等の情報を記録し、またかかる情報を読み出し再生し得るようになされたものが広く普及している。
【０００３】
特に近年では、波長が約４０５［ｎｍ］の青色レーザ光を用いるＢＤ方式に対応した光ディスク装置が実用化されている。ＢＤ方式では、従来のＣＤ（Compact Disc）方式やＤＶＤ（Digital Versatile Disc）方式等と比較して、格段に短い波長のレーザ光を用いていることから、同等のディスク径でなるＣＤやＤＶＤ等よりも大きな記録容量を有している。
【０００４】
また、従来のＣＤ方式やＤＶＤ方式の光ディスクと共にＢＤ方式の光ディスクにも対応し得るようになされた、３波長対応の光ディスク装置も提案されている（例えば、特許文献１参照）。
【０００５】
上述したようにＢＤ用のレーザ光は波長が４０５［ｎｍ］であり、ＣＤ用やＤＶＤ用のレーザ光とはその波長が大きく異なるため、これら３波長共用の対物レンズを設計することは困難である。このため３波長対応の光ディスク装置では、ＢＤ用とＣＤ／ＤＶＤ用の２つの対物レンズを光ピックアップに設けるのが現実的である。
【０００６】
従って、このような光ディスク装置では、波長が異なる光ビームをダイクロイックプリズム等により当該光ビームの波長に応じて透過又は反射させ、光路を切替えることにより、ＣＤ／ＤＶＤ用の対物レンズ又はＢＤ用の対物レンズを介して当該光ビームを光ディスクに照射するようになされている。
【特許文献１】特開２００６−１３４４７４公報
【発明の開示】
【発明が解決しようとする課題】
【０００７】
ところで、青色レーザを用いる大容量の光ディスクとしては、上述したＢＤの他にもＨＤ  ＤＶＤ（登録商標）方式（以下ＨＤ方式と呼ぶ）が実用化されている。このＨＤ方式では、ＢＤ方式と同等の波長（４０５［ｎｍ］）でなるレーザ光が用いられるものの、光ディスクにおける光ビームが照射される照射面の表面から信号が記録される信号記録層までの厚さ、いわゆるカバー層の厚さや、光ビームを集光する対物レンズのＮＡ（Numerical Aperture、開口数）が、ＢＤ方式とは相違している。
【０００８】
実際上、ＢＤ用光ディスク１００Ｂは、カバー層の厚さが約０．１［ｍｍ］、対物レンズのＮＡが約０．８５と規定されている。一方、ＨＤ用光ディスク１００Ｈは、当該カバー層の厚さが約０．６［ｍｍ］、対物レンズのＮＡが約０．６５と規定されている。
【０００９】
従って、光ディスク装置をＢＤ方式及びＨＤ方式の双方に対応させる場合、その光ピックアップについては、ＢＤ方式及びＨＤ方式の双方に対応し得るような対物レンズを設計することは困難と考えられ、現実的には、ＢＤ用の対物レンズ及びＨＤ  ＤＶＤ用の対物レンズを別々に設けることが考えられる。
【００１０】
一方、上述したようにＢＤ方式用のレーザ光及びＨＤ方式用のレーザ光はどちらも波長約４０５［ｎｍ］の青色レーザ光であるから、これら２つのレーザ光を共通のレーザ光源から出射するようにすれば、光ピックアップの簡素化及び小型化を図ることができる。この場合、光ピックアップでは、単一のレーザ光源から出射される同波長のレーザ光を、用途に応じてＢＤ方式専用の対物レンズ又はＨＤ方式専用の対物レンズに切り替えて入射させる必要がある。
【００１１】
しかしながら、切り替えるべき光ビームの波長がほぼ同一であるため、波長選択性により光ビームを反射又は透過させるダイクロックプリズムでは、光路を適切に切替えることができないという問題があった。
【００１２】
本発明は以上の点を考慮してなされたもので、簡易な構成により同一波長でなる光ビームの光路を容易に切り替え得る光ピックアップ及び光ディスク装置を提案しようとするものである。
【課題を解決するための手段】
【００１３】
かかる課題を解決するため本発明の光ピックアップにおいては、同一の光源から出射される光ビームを第１又は第２の対物レンズを介して第１又は第２の光ディスクに照射する光ピックアップであって、光ビームを反射することにより光ディスクにおける情報記録面の法線方向へ折り曲げて第１の対物レンズへ導き、また光ビームを透過させることにより所定の立上ミラーによって情報記録面の法線方向へ折り曲げ第２の対物レンズへ導く調光ミラーと、第１の光ディスクに光ビームを照射する際には光ビームを反射させ、第２の光ディスクに光ビームを照射する際には光ビームを透過させるよう、調光ミラーにおける光ビームの反射率を制御する調光制御部とを設けるようにした。
【００１４】
調光ミラーを用いて光ビームの光路を切り換えることにより、偏光方向を調整するための波長板等を用いる必要なく、第１の光ディスクへ第１の対物レンズを介して光ビームを照射し得ると共に、第２の光ディスクへ第２の対物レンズを介して光ビームを照射することができる。
【００１５】
また本発明の光ディスク装置においては、同一の光源から出射される光ビームを第１又は第２の対物レンズを介して第１又は第２の光ディスクに照射する光ディスク装置であって、光ディスクが第１の光ディスク又は第２の光ディスクのいずれであるかを判別する判別部と、光ビームを反射することにより光ディスクにおける情報記録面の法線方向へ折り曲げて第１の対物レンズへ導き、また光ビームを透過させることにより所定の立上ミラーによって情報記録面の法線方向へ折り曲げ第２の対物レンズへ導く調光ミラーと、判別部による判別結果に応じて、第１の光ディスクに光ビームを照射する際には光ビームを反射させ、第２の光ディスクに光ビームを照射する際には光ビームを透過させるよう、調光ミラーにおける光ビームの反射率を制御する調光制御部とを設けるようにした。
【００１６】
これにより、調光ミラーを用いて光ビームの光路を切り換えることにより、偏光方向を調整するための波長板等を用いる必要なく、第１の光ディスクへ第１の対物レンズを介して光ビームを照射し得ると共に、第２の光ディスクへ第２の対物レンズを介して光ビームを照射することができる。
【発明の効果】
【００１７】
本発明によれば、調光ミラーを用いて光ビームの光路を切り換えることにより、偏光方向を調整するための波長板等を用いる必要なく、第１の対物レンズを介して第１の光ディスクへ光ビームを照射し得ると共に、第２の対物レンズを介して第２の光ディスクへ光ビームを照射することができ、かくして簡易な構成により同一波長でなる光ビームの光路を容易に切り替え得る光ピックアップ及び光ディスク装置を実現できる。
【発明を実施するための最良の形態】
【００１８】
以下、図面について、本発明の一実施の形態を詳述する。
【００１９】
（１）第１の実施の形態
（１−１）光ディスク装置の全体構成
図１において、第１の実施の形態による光ディスク装置１は、制御部２を中心に構成されており、光ディスク１００に対して情報を記録し、また当該光ディスク１００から当該情報を再生し得るようになされている。
【００２０】
制御部２は、図示しないＣＰＵ(Central Processing Unit)と、各種プログラムなどが格納されるＲＯＭ(Read Only Memory)と、当該ＣＰＵのワークメモリとして用いられるＲＡＭ(Random Access Memory)とによって構成されており、光ディスク装置１を統括制御するようになされている。
【００２１】
すなわち制御部２は、駆動部３を介してスピンドルモータ５を回転駆動させ、ターンテーブル（図示せず）に載置された光ディスク１００を所望の速度で回転させる。また制御部２は、駆動部３を介してスレッドモータ６を駆動させることにより、図２に示すように、移動軸Ｇ１及びＧ２に沿って光ピックアップ７を光ディスク１００の内周側又は外周側へ向かう方向であるトラッキング方向に大きく移動させる。
【００２２】
以下では、説明の便宜上、光ディスク１００の内周側又は外周側へ向かうトラッキング方向をラジアル方向、このラジアル方向と直交する方向をタンジェンシャル方向とも呼ぶ。
【００２３】
さらに制御部２は、駆動部３（図１）を介して２軸アクチュエータ８を駆動制御することにより、対物レンズ１０及び１１が搭載された対物レンズホルダ９を光ディスク１００に近接又は離隔させるフォーカス方向に移動させ、またトラッキング方向に細かく移動させる。
【００２４】
制御部２は、このように対物レンズ１０及び１１の位置を制御した上で、光ピックアップ７によって光ディスク１００に対し光ビームを照射し、その反射光を検出することにより、情報の再生処理及び記録処理を行うようになされている。
【００２５】
ところで光ディスク装置１は、ＢＤ（Blu-ray Disc、登録商標）方式でなる光ディスク１００（以下、これをＢＤ用光ディスク１００Ｂと呼ぶ）及びＨＤ  ＤＶＤ（High Density Digital Versatile Disc、登録商標）方式でなる光ディスク１００（以下、これをＨＤ用光ディスク１００Ｈと呼ぶ）の両方に対応し得るようになされている。
【００２６】
このため制御部２は、光ディスク１００が装填されると、まず当該光ディスク１００のＴＯＣ（Table of Contents）領域等から当該光ディスク１００の種別に関する情報を読み出す等のディスク判別処理を行うことにより、当該光ディスク１００がＢＤ用光ディスク１００Ｂ又はＨＤ用光ディスク１００Ｈのいずれであるかを判別するようになされている。
【００２７】
その後、光ディスク装置１は、その判別結果を基に、ＢＤ用光ディスク１００Ｂ又はＨＤ用光ディスク１００Ｈに対して、２種類の対物レンズ１０及び１１を適切に切り換えて光ビームを照射するようになされている（詳しくは後述する）。
【００２８】
（１−２）対物レンズホルダの構成
光ピックアップ７の一部を拡大した上面図を図３（Ａ）に示すように、対物レンズホルダ９は、光ピックアップ７から４本の支持ワイヤ２３Ａ、２３Ｂ、２３Ｃ及び２３Ｄを介して揺動自在に支持されている。説明の都合上、支持ワイヤ２３Ａ〜２３Ｄにより光ピックアップ７（図２）に支持されている方向を後方向、その反対方向を前方向と定義する。
【００２９】
対物レンズホルダ９は、所定の樹脂材料が成形されてなり、全体として中空の直方体から下側面が取り除かれたような形状を有している。これにより対物レンズホルダ９は、後述する調光ミラー１７及び立上ミラー１８等と干渉することなく、これらを当該対物レンズホルダ９の内部空間へ入り込ませ得るようになされている。
【００３０】
また対物レンズホルダ９の前面中央部分には、光ビームを通過させるための孔部９Ａが設けられている。
【００３１】
また対物レンズホルダ９は、前面の孔部９Ａの外周側及び内周側にそれぞれコイル８ＡＣ及び８ＢＣが設けられ、また後面の中央部分にコイル８ＣＣが設けられている。一方、光ピックアップ７には、これらのコイル８ＡＣ〜８ＣＣとそれぞれ対向するようにマグネット８ＡＭ〜８ＣＭが固定されており、各コイルと各マグネットとの組み合わせによりアクチュエータ８Ａ〜８Ｃを構成している。
【００３２】
すなわちアクチュエータ８Ａ〜８Ｃは、駆動部３（図１）から支持ワイヤ２３Ａ〜２３Ｄを介して供給される駆動信号が各コイル８ＡＣ〜８ＣＣへ供給されることにより、各マグネット８ＡＭ〜８ＣＭとの間に推力を発生する。これによりアクチュエータ８Ａ〜８Ｃは、光ピックアップ７に対して対物レンズホルダ９を上方向又は下方向（すなわちフォーカス方向）へ駆動し、又は外周方向又は内周方向（すなわちトラッキング方向）へ駆動し得るようになされている。
【００３３】
（１−３）光ピックアップの構成
光ピックアップ７は、図４（Ａ）及び（Ｂ）に示すように、レーザダイオード１２やフォトディテクタ２１等の複数の光学部品を有しており、制御部２の制御に基づき、光ディスク１００へ光ビームを照射し、またその反射光ビームを検出するようになされている。
【００３４】
例えば制御部２は、光ディスク１００が装填された状態で、当該光ディスク１００に記録されている情報を再生する再生命令を外部機器（図示せず）から受け付けた場合、駆動部３を介して、所定の再生制御信号を光ピックアップ７へ供給する。
【００３５】
これに応じて光ピックアップ７（図４（Ａ））は、レーザダイオード１２から所定の光量でなる波長４０５［ｎｍ］のレーザ光を光ビームＬ１として出射させ、インライン型グレーティング１３へ入射させる。
【００３６】
インライン型グレーティング１３は、光ビームＬ１をトラッキング制御用のメイン光ビームＬ１Ａ並びにサブ光ビームＬ１Ｂ及びＬ１Ｃに分割し、いずれも偏光ビームスプリッタ１４へ入射する。
【００３７】
因みに、メイン光ビームＬ１Ａ並びにサブ光ビームＬ１Ｂ及びＬ１Ｃは、それぞれの光軸（図示せず）が互いに平行且つ僅かに離れた状態となり、ほぼ同様の光路を進むため、説明の便宜上、以下メイン光ビームＬ１Ａ並びにサブ光ビームＬ１Ｂ及びＬ１Ｃをまとめて光ビームＬ１と呼ぶ。
【００３８】
偏光ビームスプリッタ１４は、偏光方向に応じて光ビームを反射又は透過する反射透過面１４Ｓを有している。実際上、偏光ビームスプリッタ１４は、例えばｐ偏光でなる光ビームＬ１を反射透過面１４Ｓにおいて反射し、コリメータ１５へ入射させる。
【００３９】
コリメータ１５は、光ビームＬ１を発散光から平行光に変換し、１／４波長板１６へ入射させる。１／４波長板１６は、光ビームの偏光状態を直線偏光から円偏光へ、又は円偏光から直線偏光へ変換するようになされており、例えばｐ偏光でなる光ビームＬ１を左円偏光に変換し、当該光ビームＬ１を調光ミラー１７へ照射する。
【００４０】
調光ミラー１７は、印加される電圧により光ビームの透過率及び反射率を変化させる、調光機能を有している。因みに調光ミラー１７は、ガラス基板の面上に複数層の特殊な薄膜が形成されており、当該薄膜に対して電圧が印加されるようになされている。
【００４１】
実際上、調光ミラー１７は、図５（Ａ）に模式的に示すように、所定のスイッチＳＷが開状態となり所定の電圧Ｅが印加されていないとき、光の反射率を増加させ、光ビームＬ１を反射するようになされている（以下、これを反射モードと呼ぶ）。
【００４２】
一方、調光ミラー１７は、図５（Ｂ）に示すように、スイッチＳＷが閉状態となり電圧Ｅが印加されたとき、光の反射率を低減させ、すなわち透過率を高めて、光ビームＬ１を透過するようになされている（以下、これを透過モードと呼ぶ）。
【００４３】
因みに、光ビームＬ１の波長を変化させながら、調光ミラー１７における反射モード及び透過モードにおける反射率の変化を調べたところ、図６に示すような特性曲線Ｑ１及びＱ２が得られた。この特性曲線Ｑ１およびＱ２からわかるように、調光ミラー１７は、光ビームＬ１の波長が４０５［ｎｍ］のとき、反射モードにおいてはほぼ１００［％］の反射率を得ることができ、透過モードにおいては約３０［％］の反射率、すなわち約７０［％］の透過率を得ることができる。
【００４４】
ここで制御部２は、光ディスク１００に対するディスク判別結果に基づいて調光ミラー１７の動作モードを切り換えることにより、光ビームＬ１の光路を変更するようになされている。すなわち制御部２は、当該光ディスク１００がＢＤ用光ディスク１００Ｂであった場合、当該調光ミラー１７を反射モードに切り換え、一方当該光ディスク１００がＨＤ用光ディスク１００Ｈであった場合、当該調光ミラー１７を透過モードに切り換えるようになされている。
【００４５】
これにより調光ミラー１７は、反射モードに切り換えられている場合、光ビームＬ１を図の手前方向へ反射する。このとき、図４（Ａ）の一部を外周側から見た状態を示す図４（Ｂ）において、光ビームＬ１は対物レンズ１０へ入射される。因みに光ビームＬ１は、円偏光における偏光方向が反射時に反転され、例えば左円偏光から右円偏光に変換される。
【００４６】
対物レンズ１０は、ＢＤ用光ディスク１００Ｂに合わせた光学特性を有しており、ＮＡを０．８５として光ビームＬ１を集光し、ＢＤ用光ディスク１００Ｂの信号記録層１００ＢＳに照射する。
【００４７】
因みに対物レンズ１０は、光ビームＬ１のうち、インライン型グレーティング１３により分光されたメイン光ビームＬ１Ａを信号記録層１００ＢＳの所望トラックへ照射し、サブ光ビームＬ１Ｂ及びＬ１Ｃをそれぞれ所望トラックに隣接する内周トラック及び外周トラックへ照射する。
【００４８】
光ビームＬ１は、信号記録層１００ＢＳにおいて反射され、このとき円偏光における回転方向が反転されて、例えば右円偏光から左円偏光に変換される。以下、反射後の光ビームを反射光ビームＬ２と呼ぶ。因みに反射光ビームＬ２は、光ビームＬ１と同様、実際には３本の光ビームでなるが、便宜上、まとめて反射光ビームＬ２と呼ぶ。
【００４９】
反射光ビームＬ２は、光ビームＬ１の光路を反対方向へ順次辿ることにより、対物レンズ１０により平行光に変換され、調光ミラー１７により反射されて例えば左円偏光から右円偏光に変換され、１／４波長板１６により例えば右円偏光からｓ偏光（すなわち直線偏光）に変換されて、さらにコリメータ１５により収束光に変換された上で、偏光ビームスプリッタ１４へ入射される。
【００５０】
偏光ビームスプリッタ１４は、例えばｓ偏光でなる反射光ビームＬ２を反射透過面１４Ｓにおいて透過し、マルチレンズ２０へ入射させる。マルチレンズ２０は、反射光ビームＬ２に対して復路倍率調整を行うと共にフォーカスエラー信号を生成するための非点収差を持たせ、フォトディテクタ２１へ照射する。
【００５１】
フォトディテクタ２１は、所定数の検出領域が所定の配置パターンとなるように設けられており、各検出領域により反射光ビームＬ２の一部をそれぞれ受光し、その受光結果に応じた検出信号を信号処理部４（図１）へそれぞれ供給する。
【００５２】
信号処理部４は、供給された複数の検出信号に対して所定の演算処理を施すことによりフォーカスエラー信号及びトラッキングエラー信号等を生成し、これらを駆動部３へ供給することにより、フィードバック処理によるフォーカス制御及びトラッキング制御を行わせるようになされている。
【００５３】
また信号処理部４は、供給された複数の検出信号に対して所定の演算処理を施すことにより、記録されている情報を表す再生ＲＦ信号を生成し、さらに所定の復調処理や復号化処理等を施すことにより再生信号を生成して、当該再生信号を制御部２へ供給する。これに応じて制御部２は、供給された再生信号を図示しない外部機器へ供給する。
【００５４】
一方、調光ミラー１７（図４（Ａ））は、透過モードに切り換えられている場合、光ビームＬ１を透過し立上ミラー１８により図の手前方向へ反射する。このとき図４（Ｂ）に示したように、光ビームＬ１は対物レンズ１１へ入射される。因みに光ビームＬ１は、立上ミラー１８での反射時に円偏光における偏光方向が反転され、例えば左円偏光から右円偏光に変換される。
【００５５】
対物レンズ１１は、ＨＤ用光ディスク１００Ｈに合わせた光学特性を有しており、ＮＡを０．６５として光ビームＬ１を集光し、ＨＤ用光ディスク１００Ｈの信号記録層１００ＨＳに照射する。
【００５６】
また光ビームＬ１が信号記録層１００ＨＳにおいて反射されてなる反射光ビームＬ２は、光ビームＬ１の光路を反対方向へ順次辿ることにより、ＢＤ用光ディスク１００Ｂの場合と同様、最終的にフォトディテクタ２１へ照射される。
【００５７】
フォトディテクタ２１は、反射光ビームＬ２の受光結果に応じた検出信号を信号処理部４（図１）へ供給する。これに応じて信号処理部４は、検出信号を基にフォーカスエラー信号及びトラッキングエラー信号並びに再生信号等を生成し、制御部２へ供給する。
【００５８】
このように光ピックアップ７は、調光ミラー１７が反射モードに切り換えられている場合、光ビームＬ１を反射することにより対物レンズ１０を介してＢＤ用光ディスク１００Ｂへ照射させ、一方、透過モードに切り換えられている場合、光ビームＬ１を透過することにより立上ミラー１８及び対物レンズ１１を介してＨＤ用光ディスク１００Ｈへ照射させるようになされている。
【００５９】
また制御部２は、光ディスク１００の判別結果に基づいて調光ミラー１７の動作モードを切り換えることにより、当該光ディスク１００がＢＤ用光ディスク１００Ｂであった場合、当該調光ミラー１７を反射モードに切り換えて光ビームＬ１を当該ＢＤ用光ディスク１００Ｂへ照射させ、当該光ディスク１００がＨＤ用光ディスク１００Ｈであった場合、当該調光ミラー１７を透過モードに切り換えて光ビームＬ１を当該ＨＤ用光ディスク１００Ｈへ照射させるようになされている。
【００６０】
因みに制御部２は、光ディスク１００に情報を記録する記録命令を外部機器（図示せず）から受け付けた場合にも、再生命令を受け付けた場合と同様、光ディスク１００のディスク種別を判別し、その判別結果に応じ調光ミラー１７の動作モードを切り換えて光ビームＬ１の光路を変更することにより、光ディスク１００の種別に対応した対物レンズ１０又は１１を介して光ビームＬ１を当該光ディスク１００へ照射するようになされている。
【００６１】
（１−４）動作及び効果
以上の構成において、第１の実施の形態による光ディスク装置１の制御部２は、光ディスク１００が装填されると、所定のディスク判別処理を行うことにより、当該光ディスク１００がＢＤ用光ディスク１００Ｂ又はＨＤ用光ディスク１００Ｈのいずれであるかを判別する。
【００６２】
その後、制御部２は、光ディスク１００に情報を記録する際、又は当該光ディスク１００から情報を再生する際、当該光ディスク１００の判別結果に応じて調光ミラー１７の動作モードを切り換えることにより、光ピックアップ７における光ビームＬ１の光路を変更する。これにより制御部２は、ＢＤ用光ディスク１００Ｂに対しては対物レンズ１０を介し、またＨＤ用光ディスク１００Ｈに対しては対物レンズ１１を介して、光ビームＬ１を照射させる。
【００６３】
従って光ピックアップ７は、制御部２による光ディスク１００の判別結果に基づき、調光ミラー１７によって光ビームＬ１の光路を切り換えることができるので、対物レンズ１０を介して当該光ビームＬ１をＢＤ用光ディスク１００Ｂに照射し得ると共に、対物レンズ１１を介して当該光ビームＬ１をＨＤ用光ディスク１００Ｈに照射することができる。
【００６４】
このとき光ピックアップ７は、制御部２により調光ミラー１７に印加する電圧等を制御するだけで、当該調光ミラー１７の反射率を切り換えることができるので、例えば可動部品を用いて機械的に光路を切り換えるような場合と比較して、機械部品の動作不良等により正しく光路を切り換え得なくなる危険性を極めて低く抑えることができ、確実な切り換え動作を期待し得る。
【００６５】
また光ピックアップ７は、調光ミラー１７により光ビームＬ１及び反射光ビームＬ２の光路を切り換えるため、例えば１／２波長板等によって当該光ビームＬ１の偏光方向を調整し、偏光ビームスプリッタ等により当該光ビームＬ１の一部のみを透過する場合と比較して、レーザダイオード１２から出射した光ビームを高い効率で利用することができる。
【００６６】
さらに、光ディスク装置及び光ピックアップの薄型化を図る場合には、対物レンズを設ける部分における厚さを抑える必要があるため、光ディスクの記録面とほぼ並行に進む光ビームを当該記録面の法線方向に折り曲げるプリズムやミラー等以外の、例えば波長板等の光学部品を当該厚さ方向に重ねて設けることができず、光学部品の配置や光路の設計が制限されてしまうという問題があった。
【００６７】
これに対して光ピックアップ７は、他の光ピックアップにおいて用いられているような、１／２波長板と偏光ビームスプリッタとの組み合わせによる光ビームの光路の切換をしていない。このため光ピックアップ７は、調光ミラー１７と対物レンズ１０との間、又は立上ミラー１８と対物レンズ１１との間に波長板等を設ける必要が無く、全体的に薄型に構成することができる。
【００６８】
また光ピックアップ７では、図６に示したように、調光ミラー１７が波長４０５［ｎｍ］のレーザ光について反射率を調整し得るだけでなく、その他の波長のレーザ光についても反射率を有効に調整することができる。このため光ピックアップ７は、レーザダイオード１２における温度変化等により光ビームＬ１の波長が理想的な４０５［ｎｍ］から多少変動していたとしても、当該光ビームＬ１を適切に反射又は透過させることができる。
【００６９】
ところで図６に示したように、調光ミラー１７は、透過モードにおける透過率が約３０％であるため、反射モードにおける反射率がほぼ１００％である点と比較して、光ビームＬ１の利用効率を低下させることになってしまう。
【００７０】
このような観点から、光ピックアップ７は、光ビームＬ１の光量を必要とするＢＤ方式と反射モードとを組み合わせ、相対的に光量が少なくて済むＨＤ方式と透過モードとを組み合わせることにより、光ビームＬ１の光量を有効に利用することができる。
【００７１】
また、光ピックアップ７との比較用に、対物レンズ１０及び１１がラジアル方向に並べて設けられた光ピックアップ３０を、図３及び図４との対応部分にそれぞれ同一符号を付した図７及び図８に示す。
【００７２】
図８において、光ピックアップ３０は、調光ミラー１７に代えて偏光切替型１／２波長板３１及び偏光ビームスプリッタ３２が設けられている。また光ピックアップ３０には、コリメータ１５に対応するコリメータ３３及び３７、１／４波長板１６に対応する１／４波長板３４及び３８、立上ミラー１８に対応する立上ミラー３５、及び光ビームＬ１の進行方向を変更するためのミラー３６等が設けられている。
【００７３】
例えば光ピックアップ３０は、光ディスク１００がＢＤ用光ディスク１００Ｂであった場合、偏光切替型１／２波長板３１における偏光方向を調整することにより、偏光ビームスプリッタ３２の反射透過面において光ビームＬ１を透過させ、コリメータ３３及び１／４波長板３４を介し立上ミラー３５により反射させて対物レンズ１０へ入射させる。
【００７４】
一方、光ピックアップ３０は、光ディスク１００がＨＤ用光ディスク１００Ｈであった場合、偏光切替型１／２波長板３１における偏光方向を調整することにより、偏光ビームスプリッタ３２の反射透過面において光ビームＬ１を反射させ、ミラー３６により再度反射させ、コリメータ３７及び１／４波長板３８を介し立上ミラー３５により反射させて対物レンズ１１へ入射させる。
【００７５】
ここで図７に示すように、対物レンズホルダ９と対応する対物レンズホルダ３９は、対物レンズホルダ３９をトラッキング方向（すなわちラジアル方向）に揺動し得るよう支持する支持ワイヤ２３Ａ〜２３Ｄと光ビームＬ１との干渉を防止する観点と、薄型化の観点とから、当該光ビームＬ１の入射方向が前側からに制限される。
【００７６】
すなわち対物レンズホルダ３９は、その上面において、対物レンズ１０及び１１がラジアル方向に沿って並ぶよう制限されることになる。
【００７７】
この場合、図６（Ｂ）と対応する図８（Ｂ）に示すように、対物レンズホルダ３９は、前面中央に設けた孔部３９Ａは、実質的に２本の光ビームを通過させる必要があり、ラジアル方向に関して比較的大きく開口していること、及び立上ミラー３５との干渉を防止するためリブ等を設け難いことから、剛性が不足する可能性がある。
【００７８】
これに対して本願発明による光ピックアップ７では、図３（Ａ）及び（Ｂ）に示したように、対物レンズホルダ９に対して、１本の光ビームのみを通過させ得る程度の孔部９Ａを設ければ良く、当該対物レンズホルダ９における剛性の低下を必要最小限に抑えることができる。
【００７９】
また、光ピックアップ７は、対物レンズホルダ９において相対的な重量割合が大きい対物レンズ１０及び１１を前後両側から挟むよう、アクチュエータ８Ａ〜８Ｃにより推力をバランス良く印加するため、例えばアクチュエータ８Ｃのみにより、対物レンズ１０及び１１の片側のみから推力を印加する場合と比較して、不要な振動等を抑えて、当該対物レンズホルダ９を安定的に駆動することができる。
【００８０】
以上の構成によれば、光ディスク装置１の光ピックアップ７は、制御部２による光ディスク１００の判別結果に応じて調光ミラー１７の動作モードを切り換えることにより、光ビームＬ１の光路を変更することができるため、対物レンズ１０を介して当該光ビームＬ１をＢＤ用光ディスク１００Ｂに照射し得ると共に、対物レンズ１１を介して当該光ビームＬ１をＨＤ用光ディスク１００Ｈに照射することができる。
【００８１】
（２）第２の実施の形態
（２−１）光ディスク装置及び光ピックアップの構成
図１に示したように、第２の実施の形態による光ディスク装置４０は、第１の実施の形態による光ディスク装置１と比較して、光ピックアップ７に代えて光ピックアップ４７が設けられ、対物レンズホルダ９に代えて対物レンズホルダ４９を有している点が異なるものの、他は同様に構成されている。
【００８２】
光ピックアップ４７は、図４との対応部分に同一符号を付した図９に示すように、レーザダイオード１２やフォトディテクタ等の光学部品が調光ミラー１７の下方に設けられており、光ビームＬ１を当該調光ミラー１７の下方から入射させ、また反射光ビームＬ２を下方へ出射するようになされている点が大きく異なっている。
【００８３】
因みに対物レンズホルダ４９は、対物レンズホルダ９（図３）と類似した構成を有しているものの、光ビームＬ１を下方から入射させるため、孔部９Ａが設けられていない点が異なっている（図示せず）。
【００８４】
制御部２は、第１の実施の形態と同様、光ディスク１００に対するディスク判別結果に基づき、光ディスク１００がＢＤ用光ディスク１００Ｂであった場合、当該調光ミラー１７を反射モードに切り換え、一方当該光ディスク１００がＨＤ用光ディスク１００Ｈであった場合、当該調光ミラー１７を透過モードに切り換える。
【００８５】
調光ミラー１７は、反射モードに切り換えられている場合、光ビームＬ１を反射し立ち上げミラー１８により再度反射させ、対物レンズ１０へ入射させてＢＤ用光ディスク１００Ｂの信号記録層１００ＢＳへ集光させる。一方、調光ミラー１７は、透過モードに切り換えられている場合、光ビームＬ１を透過し対物レンズ１１へ入射させ、ＨＤ用光ディスク１００Ｈの信号記録層１００ＨＳへ集光させる。
【００８６】
この結果、光ピックアップ４７は、光ピックアップ７と同様、光ディスク１００に対するディスク種別の判別結果に応じ、制御部２によって調光ミラー１７の動作モードを切り換え光ビームＬ１の光路を変更することにより、光ディスク１００の種別に対応した対物レンズ１０又は１１を介して光ビームＬ１を当該光ディスク１００へ照射し得るようになされている。
【００８７】
因みに光ピックアップ４７では、光ピックアップ７と同様に、調光ミラー１７の透過モードにおける透過率（約３０％）が反射モードにおける反射率（ほぼ１００％）よりも低く、光ビームＬ１の利用効率を低下させることが考慮され、ＨＤ方式と透過モードとを組み合わせ、ＢＤ方式と反射モードとを組み合わせるようになされている。
【００８８】
（２−２）動作及び効果
以上の構成において、第２の実施の形態による光ディスク装置１の制御部２は、第１の実施の形態と同様、光ディスク１００が装填されると、所定のディスク判別処理により、当該光ディスク１００の種別を判別し、その判別結果に応じて調光ミラー１７の動作モードを切り換える。
【００８９】
この結果、光ピックアップ４７は、光ピックアップ７と同様、制御部２による光ディスク１００の判別結果に基づき、調光ミラー１７によって光ビームＬ１の光路を切り換えることができるので、ＢＤ用光ディスク１００Ｂに対しては対物レンズ１０を介し、またＨＤ用光ディスク１００Ｈに対しては対物レンズ１１を介して、光ビームＬ１を照射することができる。
【００９０】
また光ピックアップ４７の対物レンズホルダ４９は、対物レンズホルダ９（図３）のような孔部９Ａを設ける必要がないため、当該対物レンズホルダ９よりも剛性を高めることができる。
【００９１】
以上の構成によれば、光ディスク装置４０の光ピックアップ４７は、第１の実施の形態と同様、制御部２による光ディスク１００の判別結果に応じて調光ミラー１７の動作モードを切り換えることにより、光ピックアップ４７における光ビームＬ１の光路を変更することができ、対物レンズ１０を介して当該光ビームＬ１をＢＤ用光ディスク１００Ｂに照射し得ると共に、対物レンズ１１を介して当該光ビームＬ１をＨＤ用光ディスク１００Ｈに照射することができる。
【００９２】
（３）他の実施の形態
なお上述した実施の形態においては、光ピックアップ７において調光ミラー１７によって光ビームＬ１の光路を切り換えることにより、当該光ビームＬ１を集光する対物レンズ１０または１１を切り換えてＢＤ用光ディスク１００Ｂ又はＨＤ用光ディスク１００Ｈに対応させるようにした場合について述べたが、本発明はこれに限らず、調光ミラー１７によって光ビームＬ１の光路を切り換えることにより、任意の一の方式の光ディスク１００と他の方式の光ディスク１００との双方に対応し得るようにしても良い。この場合、光ディスク１００に対応した光学部品を各光路にそれぞれ配置しておけば良い。
【００９３】
また上述した実施の形態においては、波長４０５［ｎｍ］の光ビームＬ１を調光ミラー１７により反射又は透過させるようにした場合について述べたが、本発明はこれに限らず、他の波長の光ビームを調光ミラー１７により透過又は反射させるようにしても良い。
【００９４】
特に調光ミラー１７は、図６に示したように幅広い波長に渡って透過又は反射させることができるので、例えばＢＤ及びＨＤ  ＤＶＤ（登録商標）に加えてＣＤ（Compact Disc）やＤＶＤ（Digital Versatile Disc）等にも対応し得る光ピックアップにおいて、波長４０５［ｎｍ］の光ビームＬ１に加えて、ＣＤに対応した波長約７８０［ｎｍ］の光ビームやＤＶＤに対応した波長約６５０［ｎｍ］の光ビームも透過又は反射するようにしても良い。
【００９５】
さらに上述した実施の形態においては、対物レンズホルダ９において対物レンズ１０及び１１を前後両側から挟むようにアクチュエータ８Ａ〜８Ｃを設けるようにした場合について述べたが、本発明はこれに限らず、例えば図３（Ａ）及び（Ｂ）との対応部分に同一符号を付した図９（Ａ）及び（Ｂ）に示すように、対物レンズホルダ４９における対物レンズ１０及び１１の後方のみにアクチュエータ４８を設けるようにしても良い。
【００９６】
さらに上述した第１の実施の形態においては調光ミラー１７に対して光ディスク１００と平行な方向から光ビームＬ１を入射させ、また第２の実施の形態においては当該調光ミラー１７に対して光ディスク１００の法線方向から光ビームＬ１を入射させるようにした場合について述べたが、本発明はこれに限らず、他の種々の方向から調光ミラー１７へ光ビームＬ１を入射させるようにしても良い。
【００９７】
この場合、調光ミラー１７へ入射する光ビームＬ１の角度と光ディスク１００に対する当該調光ミラー１７の角度とが適宜調整されていることにより、光ビームＬ１を対物レンズ１０及び１１へ垂直に、すなわち光ディスク１００の法線と平行な方向へ導くことができれば良い。
【００９８】
さらに上述した実施の形態においては、光ディスク１００がＢＤ用光ディスク１００Ｂであった場合、調光ミラー１７を反射モードに切り換え、当該光ディスク１００がＨＤ用光ディスク１００Ｈであった場合、当該調光ミラー１７を透過モードに切り換えるようにした場合について述べたが、本発明はこれに限らず、対物レンズ１０及び１１の配置を入れ替え、光ディスク１００がＢＤ用光ディスク１００Ｂであった場合、調光ミラー１７を透過モードに切り換え、当該光ディスク１００がＨＤ用光ディスク１００Ｈであった場合、当該調光ミラー１７を反射モードに切り換えるようにしても良い。
【００９９】
さらに上述した実施の形態においては、光ディスク装置１が光ディスク１００に対し情報の記録及び再生の両方を行い得るようにした場合について述べたが、本発明はこれに限らず、当該光ディスク１００に対して情報の記録のみを行い、又は当該情報の再生のみを行うようにしても良い。
【０１００】
さらに上述した実施の形態においては、調光ミラーとしての調光ミラー１７と、調光制御部としての制御部２とによって光ピックアップとしての光ピックアップ７を構成する場合について述べたが、本発明はこれに限らず、その他種々の構成でなる調光ミラーと、調光制御部とによって光ピックアップを構成するようにしても良い。
【０１０１】
さらに上述した実施の形態においては、判別部及び調光制御部としての制御部２と、調光ミラーとしての調光ミラー１７とによって光ディスク装置としての光ディスク装置１を構成する場合について述べたが、本発明はこれに限らず、その他種々の構成でなる判別部と、調光ミラーと、調光制御部とによって光ディスク装置を構成するようにしても良い。
【産業上の利用可能性】
【０１０２】
本発明の光ディスク装置及び光ピックアップは、例えば大容量のデータを記録及び再生し得る光ディスク装置に利用することができる。
【図面の簡単な説明】
【０１０３】
【図１】光ディスク装置の全体構成を示す略線図である。
【図２】対物レンズの配置の説明に供する略線図である。
【図３】第１の実施の形態による対物レンズホルダの構成を示す略線図である。
【図４】第１の実施の形態による光ピックアップの構成を示す略線図である。
【図５】調光ミラーによる光ビームの反射及び透過の説明に供する略線図である。
【図６】調光ミラーの光学特性を示す略線図である。
【図７】ラジアル配置による対物レンズホルダの構成例を示す略線図である。
【図８】ラジアル配置による光ピックアップの構成例を示す略線図である。
【図９】第２の実施の形態による光ピックアップの構成を示す略線図である。
【図１０】他の実施の形態による対物レンズホルダの構成を示す略線図である。
【符号の説明】
【０１０４】
１、４０……光ディスク装置、２……制御部、３……駆動部、７、４７……光ピックアップ、８Ａ〜８Ｃ……アクチュエータ、９、４９……対物レンズホルダ、１０、１１……対物レンズ、１２……レーザダイオード、１４……偏光ビームスプリッタ、１７……調光ミラー、１８……立上ミラー、１００……光ディスク、１００Ｂ……ＢＤ用光ディスク１００Ｂ、１００Ｈ……ＨＤ用光ディスク１００Ｈ、Ｌ１……光ビーム。
【図１】
2008269666.tif 000003
【図２】
2008269666.tif 000004
【図３】
2008269666.tif 000005
【図４】
2008269666.tif 000006
【図５】
2008269666.tif 000007
【図６】
2008269666.tif 000008
【図７】
2008269666.tif 000009
【図８】
2008269666.tif 000010
【図９】
2008269666.tif 000011
【図１０】
2008269666.tif 000012